(57)【要約】【課題】蓋を介して容器本体内の熱が外に逃げてしまうことや外の熱が容器本体に伝わってしまうことを防止することで保温、保冷機能を高めた飲料用容器及び飲料用容器の蓋を提供すること。【解決手段】容器本体２と容器本体２の上部開口５を閉鎖する蓋１１を具備した飲料用容器であり、蓋１１は、上下に貫通した挿通孔１３を有する筒状の外蓋１２と外蓋の内部に挿抜自在に挿入されて挿通孔を開閉自在に閉鎖した内蓋を具備し、外蓋は容器本体の上部に連結される外蓋側取付手段１４０１と内蓋が連結される外蓋側連結部１７を具備し、内蓋は側壁部２４ａと側壁部の上部開口を閉鎖した上板部２４ｂと側壁部の下部開口を閉鎖した底板部２４ｃを有して内部に空洞部２４ｄが形成され、外蓋側連結部に連結される内蓋側連結部２８が側壁部に形成され、流出路３１が内蓋側連結部に形成された内蓋本体２２を具備する。【選択図】図２
2014125240.tif 000002
【特許請求の範囲】
【請求項１】
筒状の側壁部（３）と、該側壁部（３）の下部の開口を閉鎖した底部（４）とを具備した、有底で上部に開口（５）が形成された筒状の容器本体（２）と、
該容器本体（２）の上部の開口（５）を閉鎖する蓋（１１）と、を具備した飲料用容器であって、
前記蓋（１１）は、一部が容器本体（２）に密着した状態で、前記容器本体（２）の上部に着脱自在に取り付けられた、上下に貫通した挿通孔（１３）を有する筒状の外蓋（１２）と、該外蓋（１２）の内部に挿抜自在に挿入されて、前記外蓋（１２）の挿通孔（１３）を開閉自在に閉鎖した内蓋（２１）と、を具備して、
前記外蓋（１２）は、前記容器本体（２）に連結される外蓋側取付手段（１４０１）と、前記内蓋（２１）が連結される外蓋側連結部（１７）と、を具備し、
前記内蓋（２１）は、前記外蓋（１２）の内部に上下動自在に連結される内蓋本体（２２）と、該内蓋本体（２２）の上部に連設された、前記内蓋本体（２２）を下降することで、前記外蓋（１２）の内周側全域に気密に当接されて容器本体（２）の内部を気密状態にする当接部（２９）と、を具備し、
前記内蓋本体（２２）は、円筒状の側壁部（２４ａ）と、該側壁部（２４ａ）の上部開口を閉鎖した上板部（２４ｂ）と、前記側壁部（２４ａ）の下部開口を閉鎖した底板部（２４ｃ）とを有して内部に空洞部（２４ｄ）が形成された本体部（２３）と、前記側壁部（２４ａ）に形成された、前記外蓋側連結部（１７）に連結される内蓋側連結部（２８）と、該内蓋側連結部（２８）に形成された、前記容器本体（２）の内部の飲料を前記外蓋（１２）の内周側に導くための流出路（３１）と、を具備して、
前記内蓋本体（２２）を上昇させて、前記当接部（２９）と外蓋（１２）の内周側の当接状態を解除することで、前記流出路（３１）を介して容器本体（２）の内部と外部とを連通可能にした、ことを特徴とする飲料用容器。
【請求項２】
前記容器本体（２）の上部内面側に容器側連結部（２０１）を形成するとともに、前記外蓋（１２）における取付部（１４）の外周側には前記容器側連結部（２０１）に連結される外蓋側取付手段（１４０１）を形成して、前記容器側連結部（２０１）に前記外蓋側取付手段（１４０１）を連結することで、前記容器本体（２）の上部の内周側に外蓋（１２）を連結したことを特徴とする請求項１に記載の飲料用容器。
【請求項３】
筒状の側壁部（３）と該側壁部（３）の下部の開口を閉鎖した底部（４）とを具備した有底で上部に開口（５）が形成された筒状の容器本体（２）と該容器本体（２）の上部の開口（５）を閉鎖する蓋（１１）とを具備した飲料用容器の蓋（１１）であって、
一部が容器本体（２）に密着した状態で、前記容器本体（２）の上部に着脱自在に取り付けられた、上下に貫通した挿通孔（１３）を有する筒状の外蓋（１２）と、該外蓋（１２）の内部に挿抜自在に挿入されて前記外蓋（１２）の挿通孔（１３）を開閉自在に閉鎖した内蓋（２１）と、を具備して、
前記外蓋（１２）は、前記容器本体（２）に連結される外蓋側取付手段（１４０１）と、前記内蓋（２１）が連結される外蓋側連結部（１７）と、を具備し、
前記内蓋（２１）は、前記外蓋（１２）の内部に上下動自在に連結される内蓋本体（２２）と、該内蓋本体（２２）の上部に連設された、前記内蓋本体（２２）を下降することで、前記外蓋（１２）の内周側全域に気密に当接されて容器本体（２）の内部を気密状態にする当接部（２９）と、を具備し、
前記内蓋本体（２２）は、円筒状の側壁部（２４ａ）と、該側壁部（２４ａ）の上部開口を閉鎖した上板部（２４ｂ）と、前記側壁部（２４ａ）の下部開口を閉鎖した底板部（２４ｃ）とを有して内部に空洞部（２４ｄ）が形成された本体部（２３）と、前記側壁部（２４ａ）に形成された、前記外蓋側連結部（１７）に連結される内蓋側連結部（２８）と、該内蓋側連結部（２８）に形成された、前記容器本体（２）の内部の飲料を前記外蓋（１２）の内周側に導くための流出路（３１）と、を具備して、
前記内蓋本体（２２）を上昇させて、前記当接部（２９）と外蓋（１２）の内周側の当接状態を解除することで、前記流出路（３１）を介して容器本体（２）の内部と外部とを連通可能にした、ことを特徴とする飲料用容器の蓋。
【請求項４】
前記外蓋（１２）の内周側にねじ切り加工を施すことで前記外蓋側連結部（１７）を形成するとともに、前記側壁部（２４ａ）の外周側にねじ切り加工を施すことで内蓋側連結部（２８）を形成して、前記外蓋側連結部（１７）と内蓋側連結部（２８）を螺合可能としたことを特徴とする請求項３に記載の飲料用容器の蓋。
【請求項５】
前記内蓋側連結部（２８）に、上下方向に連続する溝を１又は複数個形成することで前記流出路（３１）を形成したことを特徴とする請求項３又は請求項４に記載の飲料用容器の蓋。
【発明の詳細な説明】
【技術分野】
【０００１】
本発明は、飲料用容器及び飲料用容器の蓋に係り、より詳しくは、保温、保冷機能を高めたことを特徴とする飲料用容器及び飲料用容器の蓋に関する。
【背景技術】
【０００２】
従来から、タンブラー等の飲料用容器が提供されており、この飲料用容器は、容器本体に着脱自在に蓋を取り付けて構成されており、これにより、コーヒー、紅茶、ジュース、水などの飲料を収容して携帯可能としている。
【０００３】
また最近は、蓋を取り外すことなく飲用を可能にするために、蓋に開口を形成するとともに、この開口を開閉する手段を備えたものが提供されている。そして、この開閉手段としては、開口を開閉する栓をスライド式に備えて栓をスライドすることで開口を開閉する形態や、レバー式に栓を可動させて開口を開閉する形態などが提供されている。
【０００４】
しかしながら、スライド式の栓では、容器を動かしたり揺らしたりした際に栓が動いてしまうおそれがあるとともに、開口の調整をして流出量を調整することが難しく、また、レバー式の栓では、レバーの可動にある程度の力が必要であるとともに、この場合にも開口度合いを調整することができないという問題点が指摘されている。
【０００５】
そこで、本発明者は過去において、蓋を、容器本体に取り付ける外蓋と、この外蓋内に螺合される内蓋とで構成するとともに、内蓋には流出口を形成して、内蓋を回動して外蓋に対する螺合割合を少なくすることで流出口を露出可能として、これにより、流出口を介して容器本体内の飲料を引用可能とした飲料容器の蓋を提案した。
【先行技術文献】
【特許文献】
【０００６】
【特許文献１】実用新案登録第３１５９９７４号公報
【特許文献２】国際公開２０１０／００３２５９号公報
【特許文献３】米国公開２００４／００９４５５２号公報
【特許文献４】米国特許第６１０２２４４号公報
【特許文献５】特開平１０−１２９７０６号公報
【特許文献６】特開２００４−３３１２１２号公報
【発明の概要】
【発明が解決しようとする課題】
【０００７】
ところで、一般的にタンブラー等の携帯型の飲料用容器では、容器本体の側壁を２重構造にすることで保温機能、保冷機能を備えているが、容器本体の上部開口を塞ぐ蓋に関しては、特に保冷機能、保温機能を持たせたものは提供されていなかった。
【０００８】
そのために、従来のタンブラー等の携帯型の飲料用容器では、蓋を介して、容器本体内の熱が外へ逃げてしまい、あるいは、外の熱が容器本体の中に伝わってしまい、例えば暖かい飲料を入れている場合には、蓋の裏側に結露が生じてしまうという問題点が指摘されていた。
【０００９】
そこで、本発明は、蓋を介して容器本体内の熱が外に逃げてしまうこと、あるいは外の熱が容器本体に伝わってしまうことを防止することで保温、保冷機能を高めた飲料用容器及び飲料用容器の蓋を提供することを課題としている。
【課題を解決するための手段】
【００１０】
本発明の飲料用容器は、筒状の側壁部と、該側壁部の下部の開口を閉鎖した底部とを具備し、有底で上部に開口が形成された筒状の容器本体と、この容器本体の上部の開口を閉鎖する蓋と、を具備した飲料用容器であって、
前記蓋は、一部が容器本体に密着した状態で、前記容器本体の上部に着脱自在に取り付けられた、上下に貫通した挿通孔を有する筒状の外蓋と、この外蓋の内部に挿抜自在に挿入されて前記外蓋の挿通孔を開閉自在に閉鎖した内蓋と、を具備して、
前記外蓋は、前記容器本体に連結される外蓋側取付手段と、前記内蓋が連結される外蓋側連結部と、を具備し、
前記内蓋は、前記外蓋の内部に上下動自在に連結される内蓋本体と、この内蓋本体の上部に連設された、前記内蓋本体を下降することで、前記外蓋の内周側全域に気密に当接されて容器本体の内部を気密状態にする当接部と、を具備し、
前記内蓋本体は、円筒状の側壁部と、この側壁部の上部開口を閉鎖した上板部と、前記側壁部の下部開口を閉鎖した下板部とを有して内部に空洞部が形成された本体部と、前記側壁部に形成された、前記外蓋側連結部に連結される内蓋側連結部と、この内蓋側連結部に形成された、前記容器本体の内部の飲料を前記外蓋の内周側に導くための流出路と、を具備しており、
前記内蓋本体を上昇させて、前記当接部と外蓋の内周側の当接状態を解除することで、前記流出路を介して、容器本体の内部と外部とを連通可能にした、ことを特徴としている。
【発明の効果】
【００１１】
本発明の飲料用容器では、容器本体の上部の開口を閉鎖する蓋を、容器本体の上部に着脱自在に取り付けられた外蓋と、この外蓋の内部に挿抜自在に挿入された内蓋とで構成し、外蓋は、上下に貫通した挿通孔を有する筒状体としており、内蓋は、外蓋の内部に挿抜自在に挿入されて前記外蓋の挿通孔を開閉自在に閉鎖した内蓋本体を備えるとともに、内蓋本体の内部に空洞部を形成している。
【００１２】
そのために、本発明の飲料用容器では、内蓋本体の内部に形成した空洞部が断熱層として機能し、それにより、蓋を介して容器本体内の熱が外に逃げてしまうことや、あるいは蓋を介して外の熱が容器本体に伝わってしまうことを防止することができ、保温、保冷機能を高めることが可能である。
【００１３】
また、本発明の飲料用容器では、内蓋本体の側壁部に、容器本体の内部の飲料を外蓋の内周側に導くための流出路が形成されており、内蓋本体を上昇させることで、流出路を介して容器本体の内部と外部とを連通可能にしている。
【００１４】
そのために、本発明の飲料用容器では、蓋を取り外すことなく、内蓋を上昇させて、流出路を介して容器本体の内部と外部とを連通させることで、容器本体内の飲料を飲むことが可能である。
【図面の簡単な説明】
【００１５】
【図１】本発明の飲料用容器の実施例の斜視図である。
【図２】本発明の飲料用容器の実施例の縦断正面構造を示す断面図である。
【図３】本発明の飲料用容器の実施例における蓋を示す斜視図である。
【図４】本発明の飲料用容器の実施例における蓋の縦断構造を示す断面図である。
【図５】本発明の飲料用容器の実施例の作用を説明するための断面図である。
【図６】本発明の飲料用容器の実施例における外蓋の斜視図である。
【図７】本発明の飲料用容器の実施例における外蓋の正面図である。
【図８】本発明の飲料用容器の実施例における外蓋の構造を示す断面図である。
【図９】本発明の飲料用容器の実施例における内蓋を示す斜視図である。
【図１０】本発明の飲料用容器の実施例における内蓋を下側から示した斜視図である。
【図１１】本発明の飲料用容器の実施例における内蓋の構造を示す断面図である。
【発明を実施するための形態】
【００１６】
本発明の飲料用容器は、容器本体と蓋とで構成されており、容器本体は、筒状の側壁部と、この側壁部の下部の開口を閉鎖した底部とを具備することで、有底で上部に開口が形成された筒状体としており、この容器本体の上部の開口は、蓋によって開閉自在に閉鎖されている。
【００１７】
そして、蓋は、外蓋と内蓋とで構成されており、外蓋は、上下に貫通した挿通孔を有する筒状としており、上方部分の一部が容器本体に密着した状態で、容器本体の上部に着脱自在に取り付けられており、内蓋は、外蓋の内部に挿抜自在に挿入されて、外蓋の挿通孔を開閉自在に閉鎖している。
【００１８】
また、外蓋は、容器本体に連結される外蓋側取付手段と、前記内蓋が連結される外蓋側連結部とを具備している。
【００１９】
一方、内蓋は、外蓋の内部に上下動自在に連結される内蓋本体を有しており、この内蓋本体の上部には当接部が連設されている。そして、この当接部は、内蓋本体を下降することで、その外周側が外蓋の内周側全域に気密に当接され、これにより、容器本体の内部を気密状態にすることを可能にしている。
【００２０】
また、内蓋本体は、本体部を有しており、この本体部は、円筒状の側壁部と、この側壁部の上部開口を閉鎖した上板部と、側壁部の下部開口を閉鎖した下板部とを有しており、内部には空洞部が形成されている。
【００２１】
更に、内蓋本体を構成する側壁部には、内蓋側連結部が形成されており、この内蓋側連結部は、外蓋の内周側に形成した外蓋側連結部に連結されており、この内蓋側連結部と外蓋側連結部の連結により、内蓋本体が、外蓋の挿入部の内部に上下動自在に挿入されている。
【００２２】
そして、内蓋側連結部には、容器本体の内部の飲料を外蓋の内周側に導くための流出路が形成されており、内蓋本体を上昇させて、当接部と外蓋の内周側の当接を解除することで、流出路を介して、容器本体の内部と外部とを連通可能にしている。
【００２３】
ここで、容器本体の上部内面側に容器側連結部を形成するとともに、外蓋における取付部の外周側には前記容器側連結部に連結される外蓋側取付手段を形成して、容器側連結部に外蓋側取付手段を連結することで、容器本体の上部に外蓋を連結するとよい。
【００２４】
また、前記外蓋側連結部は、外蓋の内周側にねじ切り加工を施すことで形成して、一方、前記内蓋の内蓋本体の側壁に形成した内蓋側連結部は前記側壁部の外周側にねじ切り加工を施すことで形成し、外蓋側連結部と内蓋側連結部を螺合可能にするとよく、これにより、内蓋本体を回動することのみで、内蓋を上下動させることが可能となる。
【００２５】
また、前記流出路は、内蓋側連結部に、上下方向に連続する溝を１又は複数個形成することで構成するとよく、これにより、容易に流出路を具備することが可能である。
【実施例１】
【００２６】
本発明の飲料用容器の実施例について図面を参照して説明すると、図１は本実施例の飲料容器の斜視図であり、また図２は本実施例の飲料用容器の縦断正面構造を示す断面図である。
【００２７】
そして、図において１が本実施例の飲料用容器であり、本実施例の飲料用容器は、有底で上部を開口とした容器本体と、容器本体の上部の開口を開閉自在に閉鎖した蓋とで構成されて、内部に飲料を収容して携帯可能としたタンブラーとしている。
【００２８】
ここで、前記容器本体について説明すると、図において２が容器本体であり、本実施例において前記容器本体２は、下方に行くに従って僅かに径を小さくした筒状体としている。
【００２９】
即ち、前記容器本体２は、下方に行くに従って僅かに径を小さくした筒状の側壁部３を有しており、この側壁部３の下部の開口部は底部４で閉鎖しており、これにより、前記容器本体２は、有底で、上部に開口５が形成された筒状体としている。
【００３０】
また、本実施例において前記容器本体２は、外装体とこの外装体の内周側に配設された内装体とで構成された２重構造としている。即ち、前記容器本体２は、下方に行くに従って僅かに径を小さくした筒状の外装側側壁部３ａと、この外装側側壁部３ａの下部の開口部を閉鎖した外装側底部４ａとで外装体６を構成している。
【００３１】
一方、外装体６の内部には配設されている内装体７は、前記外装側側壁部３ａよりもわずかに径及び高さ寸法が小さい内装側側壁部３ｂと、この内装側側壁部３ｂの下部の開口部を閉鎖した内装側底部４ｂで構成されている。
【００３２】
そして、本実施例の容器本体２においては、前記内装体７の上方部分の全域を外側に拡径して連結部７０１を形成して、この連結部７０１を前記外装体６の上部の内周側に連結することで、外装体６の内部に内装体７を固定して構成しており、更に、前記外装体６と内装体７間の空洞部分８は、真空としている。
【００３３】
なお、図において９はシリコンカバーである。即ち、本実施例における容器本体２では、前記外装側側壁部３ａ、及び外装側底部４ａの外側にシリコンカバーを備えており、これにより、持ち易くするとともに、滑りにくくしている。但し、必ずしもシリコンカバーは必要なものではなく、これを備えなくても良い。
【００３４】
また、本実施例において前記容器本体２は、下方に行くに従って僅かに径を小さくした筒状体としているが、必ずしも下方に行くに従って僅かに径を小さくする必要はない。従って、同一径の筒状体としてもよく、あるいは、側壁部の途中に凹みを形成してもよい。
【００３５】
更に、前記容器本体２の素材は特に限定されず、ステンレス、アルミ等の金属製、合成樹脂製等、いずれでもよい。
【００３６】
更にまた、前記容器本体２は必ずしも２重構造にする必要はなく、２重構造にした場合でも、外装体と内装体間の空洞部分を真空にする必要も無い。
【００３７】
次に、前記蓋について説明すると、図において１１が本実施例における飲料用容器の蓋であり、また、図３は本実施例における蓋の斜視図、図４、図５は本実施例における蓋の縦断正面構造を示す断面図であり、図において、本実施例の前記蓋１１は、前記容器本体２の上部に着脱自在に取り付けられた外蓋と、この外蓋の内部に挿入された内蓋とで構成されており、前記容器本体２の上部開口５を開閉自在に閉鎖している。
【００３８】
まず前記外蓋について説明すると、図６は前記外蓋の斜視図、図７は外蓋の正面図、図８は外蓋の縦断正面構造を示す断面図であり、図において１２が外蓋である。そして、本実施例において前記外蓋１２は、全体として筒状としており、従って側壁部分を残して、上下に貫通した挿通孔１３を有している。
【００３９】
また、前記外蓋１２は、容器本体２の上部の内壁に連結される取付部を有している。即ち、図において１４が取付部であり、この取付部１４は、円筒状としており、外周側にはネジ切り加工が施され、これにより、外蓋側取付手段としての外蓋側ネジ部１４０１が外周側に形成されている。
【００４０】
一方、容器本体２の上部内周側には、容器側連結部としての容器側ネジ部２０１が形成され、前記外蓋側ネジ部１４０１は、容器側ネジ部２０１に螺合可能としており、外蓋側ネジ部１４０１を容器側ネジ部２０１に螺合することで、外蓋１２の外周側を容器本体２の内周に密着させた状態で、取付部１４を、容器本体２の上部の内壁に連結している。但し、必ずしも螺合により外蓋１２の外周を容器本体２の上部内周に密着させる必要はなく、その他、例えば、取付部１４を容器本体２の上部内周側に圧入させることで、外蓋１２の外周を容器本体２の上部内周に密着させてもよい。
【００４１】
次に、前記取付部１４の下方には、挿入部が連設されている。即ち図において１５が挿入部であり、本実施例において前記挿入部１５は筒状としており、図８に示すように、前記取付部１４の下端に内周側に向けて形成した下方側段差部１６を介して取付部１５に連設され、それにより、前記取付部１４よりも小さい外径とした筒状としている。
【００４２】
また、前記挿入部１５の内周側には外蓋側連結部１７が形成されており、本実施例においては、前記挿入部１６の内周側にねじ切り加工を施すことで、外蓋側連結部１７を形成している。
【００４３】
次に、図において１８は、前記取付部１４の上端に上方に向けて連設された外縁部である。即ち、本実施例における外蓋１２では、前記取付部１４の上端に外縁部１８を連設しており、この外縁部１８の内面は、上方に行くに従ってテーパー状に径を広げており、更に、テーパー状にした内周面はわずかに湾曲するような円弧状としている。
【００４４】
更にまた、前記外縁部１８の上方部分は、外周側に上方側段差１９が形成されており、この上方側段差１９が前記容器本体２の上端上に載置される形態とされており、これにより、前記外縁部１８の上方部分は、前記容器本体２の上方に突出して、飲み口を構成している。
【００４５】
また、前記外縁部１８における上方側段差部１９の下方側の外周にはシール部材としてのＯリング２０が周設されており、このＯリング２０を容器本体２の上部の内壁に密に当接させており、これにより、Ｏリング２０を介して、外縁部１８の下方部分の外周と前記容器本体２の内壁とが密着されている。そしてこれにより、前記取付部１４と容器本体２の内壁との密着とも相まって、容器本体２内の飲料が外蓋１２と容器本体２の内壁との間を通って外部に漏れ出てしまうことを防止している。
【００４６】
なお、本実施例においては、Ｏリング２０と容器本体２の上部の内壁との気密状態を維持するために、内装体７における連結部７０１の下方部分の内面全域にテーパー状の当接面７０２を形成し、Ｏリング２０が当接面７０２に密に当接されることとしている。
【００４７】
次に、前記外蓋１２の内部に挿入された内蓋について説明すると、図９は内蓋を正面側から見た斜視図、図１０は内蓋を底側から見た斜視図、図１１は内蓋の縦断正面構造を示す断面図であり、図において２１が内蓋である。
【００４８】
そして、本実施例において前記内蓋２１は、前記外蓋１２の挿入部１５の内周側に挿入され、それにより、外蓋１２の挿通孔１３を閉鎖する内蓋本体を有している。
【００４９】
即ち、図において２２が内蓋本体であり、本実施例において前記内蓋本体２２は、本体部２３を有している。そして、この本体部２３は、円筒状の側壁部２４ａと、この側壁部２４ａの上部開口を閉鎖した上板部２４ｂと、前記側壁部２４ａの下部開口を閉鎖した底板部２４ｃを具備しており、有底かつ天井部を有する筒状体とし、内部には空洞部２４ｄが形成されている。
【００５０】
次に、図において２８は内蓋側連結部である。即ち、本実施例において本体部２３における側壁部２４ａの外周には、ねじ切り加工を施こすことによって内蓋側連結部２８が形成されている。そして、この内蓋側連結部２８は、前記挿入部１５の内周側に形成した外蓋側連結部１７に螺合可能としている。従って、本実施例において前記内蓋本体２２は、回動することで、外周面を前記挿入部１５の内壁に摺動させながら上下動自在としており、内蓋本体２２を挿入部１５内に完全に挿入した状態から、内蓋本体２２を挿入部１５内から抜き出していき、完全に内蓋本体２２を挿入部１５から取り出す形態まで自在としている。
【００５１】
次に、図において２９は、前記外蓋１２の内周面に気密に当接されて容器本体２の内部を気密状態にする当接部である。即ち、本実施例の飲料用容器１では、前記外蓋１２の内周面に気密に当接されることで容器本体２の内部を気密状態にする当接部２９を有しており、この当接部２９は、本実施例においては、筒状とし、内側本体２２の上部の周縁部全域に、内側本体２２の外周側の斜め上方に向けて連設されており、これにより、当接部２９は、上方に行くに従って拡径する形態としている。
【００５２】
そして、前記当接部２９の外周側の下部にはシール部材としてのＯリング３０が周設されており、このＯリング３０は、前記内蓋本体２２を挿入部１５内に完全に挿入した状態においては、前記外蓋１２における取付部１４の内面に密に当接されて、これにより、容器本体２の内部が気密状態になる。
【００５３】
また、本実施例においては、Ｏリング３０と外蓋１２における取付部１４の内面との気密状態を維持するために、取付部１４の内面全域にはテーパー状の当接面１４０２を形成し、前記内蓋本体２２を挿入部１５内に完全に挿入した状態において、Ｏリング３０が当接面１４０２に密に当接されることとしている。
【００５４】
なお、本実施例において前記当接部２９は、前記外蓋１２の内周面に気密に当接されて容器本体２の内部を気密状態にする機能を有していればよく、必ずしも筒状にする必要はなく、丸板状にしても良い。また、内側本体２２の外周側の斜め上方に向けて連設する必要も無く、従って、上方に向けて連設しても良い。
【００５５】
更に、必ずしもＯリング３０を用いる必要は無く、内蓋本体２２を挿入部１５内に完全に挿入した状態において、外蓋１２における取付部１４の内面に当接部２９が密に当接されて容器本体２の内部が気密状態になればよい。
【００５６】
次に、図において３１は流出路である。即ち、本実施例においては、前記内蓋側連結部２８の複数個所に、上下方向に連続する溝を形成して、この溝を流出路３１としており、この流出路３１を介して、前記容器本体２の内部の飲料を前記外蓋１２の内周側に導くこととしている。
【００５７】
即ち、本実施例においては、前記内蓋本体２２を挿入部１５内に完全に挿入している状態においては、前記流出路３１も挿入部１５内に位置しているとともに、当接部２９に備えたＯリング３０が外蓋１２における当接面１４０２に密に当接されており流出路３１の上部が閉鎖されているため、容器本体２の内部は気密状態であり、容器本体２の内部の飲料を外部に導くことはできない。
【００５８】
しかしながら、この状態から、内蓋本体２２を回動して上昇させていくと、前記Ｏリング３０と外蓋１２における当接面１４０２との当接が解除されるとともに前記内蓋側連結部２８が挿入部１５の上方に露出していき、それに伴って、内側連結部２８に形成した流出路３１の上部が解放されるために、流出路３１を介して、容器本体２の内部と外部とが連通して、前記容器本体２の内部の飲料を前記外蓋１２の内周側に導くことが可能となる。
【００５９】
次に、図において３２はつまみであり、本実施例においては、内蓋２１の直径方向に向けて、前記当接部２９間に架け渡す形態で、前記上板部２４ｂ及び当接部２９の上部に上方に向けてつまみ３２が連設されており、このつまみ３２を用いて内蓋本体２２を回動することとしている。
【００６０】
なお、図からも明らかなように、本実施例において前記つまみ３２は、中央部が低く形成されて凹み３３が形成されているが、必ずしも凹み３３を形成する必要はなく、内蓋本体２２を回動可能であればいずれの形態としてもよい。
【００６１】
また、前述の説明では、外蓋１２の挿入部１５の内周側に外蓋側連結部１７を形成して、一方、内蓋本体２２の本体部２３における側壁部２４ａの外周に内蓋側連結部２８を形成して、内蓋側連結部２８を外蓋側連結部１７に連結することで、内蓋本体２２を外蓋１２における挿入部１５の内周側に挿入することとしているが、本発明において内蓋２１は、外蓋１２の内部に挿抜自在に挿入されて外蓋１２の挿通孔１３を開閉自在に閉鎖すればよく、必ずしも前述の方法で外蓋１２の内周側に挿入する必要は無い。従って、例えば、内蓋側連結部２８が連結される外蓋側連結部１７を取付部１４の内周側に形成して、内蓋本体２２を外蓋１２における取付部１４の内周側に連結することとし、外蓋１２は挿入部１５を備えない形態としても良い。そしてその際には、Ｏリング３０は、外蓋１２の外縁部１８の内面に密に当接されるようにすると良い。
【００６２】
次に、このように構成される本実施例の飲料用容器１の作用について説明すると、前記内蓋本体２２を挿入部１５内に完全に挿入している図２及び図４の状態においては、当接部２９に備えたＯリング３０が外蓋１２における当接面１４０２に密に当接されており流出路３１の上部が閉鎖されているため、容器本体２の内部を気密状態にすることができる。
【００６３】
そしてこのとき、本実施例の飲料用容器では、本体部２３を円筒状の側壁部２４ａと、この側壁部２４ａの上部開口を閉鎖した上板部２４ｂと、前記側壁部２４ａの下部開口を閉鎖した底板部２４ｃとで構成して有底かつ天井部を有する筒状体にするとともに、本体部２３の内部に空洞部２４ｄを形成しているために、空洞部２４ｄが断熱層として機能するので、蓋１１を介して容器本体２の内部の熱が外に逃げてしまうことや、あるいは蓋１１を介して外の熱が容器本体２の内部に伝わってしまうことを防止することができ、保温、保冷機能を高めることでき、それにより、例えば蓋の裏面に結露が生じてしまうことも有効に防止することが可能である。
【００６４】
次に、内蓋本体２２を挿入部１５内に完全に挿入している図２及び図４の状態から内蓋本体２２を回動して上昇させていくと、前記Ｏリング３０と外蓋１２における当接面１４０２との当接が解除され、前記内蓋側連結部２８が挿入部１５の上方に露出していく。
【００６５】
そうすると、それに伴って、内蓋側連結部２８に形成した流出路３１の上部が解放され、この流出路３１を介して、容器本体２の内部と外部とが連通して、前記容器本体２の内部の飲料を前記外蓋１２の内周側に導くことが可能となる。
【００６６】
この状態を示した図が図５であり、この状態で飲料用容器１を傾けると、容器本体２に収容した飲料を、流出路３１を通して外蓋１２の外縁部１８の内部に導き、この導いた飲料を外縁部１８の上方に備えた飲み口より飲むことが可能である。
【００６７】
従って、本実施例の飲料用容器では、蓋を取り外すことなく、内蓋を上昇させて、流出路を介して容器本体の内部と外部とを連通させることで、容器本体内の飲料を飲むことが可能である。
【００６８】
このように、本実施例の飲料用容器及び飲料用容器の蓋を用いることで、保温機能、保冷機能を高めて、蓋を介して容器本体の内部の熱が外に逃げてしまうことや、蓋を介して外の熱が容器本体の内部に伝わってしまうことを防止することができ、更に、蓋を取り外すことなく容器本体内の飲料を飲むことが可能な飲料用容器を得ることが可能である。
【産業上の利用可能性】
【００６９】
本発明は、保温機能、保冷機能を高めて、蓋を介して容器本体の内部の熱が外に逃げてしまうことや、蓋を介して外の熱が容器本体の内部に伝わってしまうことを防止するとともに、蓋を取り外すことなく容器本体内の飲料を飲むことができる飲料用容器を得ることを可能としているために、飲料用容器及び飲料用容器の蓋の全般に適用可能である。
【符号の説明】
【００７０】
１    飲料用容器
２    容器本体
２０１    容器側ネジ部
３    側壁部
３ａ    外装側側壁部
３ｂ    内装側側壁部
４    底部
４ａ    外装側底部
４ｂ    内装側底部
５    容器本体の上部開口
６    外装体
７    内装体
７０１    連結部
７０２    当接面
８    空洞部分
９    シリコンカバー
１１    蓋
１２    外蓋
１３    挿通孔
１４    取付部
１４０１    外蓋側ネジ部
１４０２    当接面
１５    挿入部
１６    下方側段差部
１７    外蓋側連結部
１８    外縁部
１９    上方側段差
２０    Ｏリング
２１    内蓋
２２    内蓋本体
２３    本体部
２４ａ    側壁部
２４ｂ    上板部
２４ｃ    底板部
２４ｄ    空洞部
２８    内蓋側連結部
２９    当接部
３０    Ｏリング
３１    流出路
３２    つまみ
３３    凹み
【図１】
2014125240.tif 000003
【図２】
2014125240.tif 000004
【図３】
2014125240.tif 000005
【図４】
2014125240.tif 000006
【図５】
2014125240.tif 000007
【図６】
2014125240.tif 000008
【図７】
2014125240.tif 000009
【図８】
2014125240.tif 000010
【図９】
2014125240.tif 000011
【図１０】
2014125240.tif 000012
【図１１】
2014125240.tif 000013